(57)【要約】【課題】開閉カバーに設けられた表示部を簡易な構成で見やすくする。【解決手段】転写ユニット５２が回転すると、転写ユニット５２の回転力は、リンク部材５６によって表示部５４に伝達され、表示部５４が揺動する。このとき、表示部５４は、表示面が上方へ向いた状態で維持されるように、表示部５４の手前側が持ち上げられて揺動する。このように、表示部５４は、開閉カバー５０を開放しても、上向きを向いた状態で維持されるので、開閉カバー５０が開放された際でも表示部５４が見やすくなる。転写ユニット５２と表示部５４とをリンク部材５６で連結し、転写ユニット５２の回転力を利用して表示部５４を揺動させるので、別途、表示部５４を移動させるための構成を必要とせず、表示部５４を簡易な構成で見やすくできる。【選択図】図３
2008122607.tif 000002
【特許請求の範囲】
【請求項１】
装置本体に開閉可能に取り付けられた開閉部と、
前記装置本体に回転可能に取り付けられ、前記開閉部の開閉中心と異なる回転中心を有し、前記開閉部の開閉に伴って回転する回転部材と、
前記開閉部に揺動可能に取り付けられた表示部と、
前記回転部材と前記表示部とに連結され、前記開閉部の開閉に伴って前記表示部を揺動させるリンク部材と、
を備えたことを特徴とする画像形成装置。
【請求項２】
前記表示部は、前記装置本体に遠い側を揺動中心にして、前記装置本体側が揺動することを特徴とする請求項１に記載の画像形成装置。
【請求項３】
前記開閉部の閉鎖時において、前記表示部を前記装置本体に位置決めする位置決め部を備えたことを特徴とする請求項１又は請求項２に記載の画像形成装置。
【請求項４】
前記回転部材は、前記開閉部の開閉に伴って開閉する転写ユニットであることを特徴とする請求項１〜３いずれか１項に記載の画像形成装置。
【発明の詳細な説明】
【技術分野】
【０００１】
本発明は、画像形成装置に関する。
【背景技術】
【０００２】
画像形成装置としては、特許文献１に開示される画像形成装置が公知である。特許文献１の画像形成装置は、装置本体を備え、その装置本体には、開閉可能な開閉部としての手差し給紙トレイが設けられている。手差し給紙トレイには、操作ユニットが回転可能に設けられている。操作ユニットの上面には、操作パネル及び表示パネルが設けられている。また、装置本体には、手差し給紙トレイの角度にかかわらず操作パネル及び表示パネルの床面に対する角度を一定に保つ角度維持機構が設けられている。
【０００３】
この角度維持機構は、手差し給紙トレイの支軸に中心を合わせる如く本体に固定された第１歯車と、操作ユニットの支軸に固定された第２歯車と、手差し給紙トレイに回転自在に支持され第１歯車に噛み合う第３歯車と、同じく手差し給紙トレイに回転自在に支持され第２歯車に噛み合う第４歯車と、第３歯車と同軸に固定された第１プーリ及び第４歯車と同軸に固定された第２プーリと、第１プーリおよび第２プーリに巻き掛けられたベルトとから構成されている。
【０００４】
特許文献１の画像形成装置によれば、手差し給紙トレイを開放すると、角度維持機構により表示パネルが回転し、表示パネルの床面に対する角度が一定に保たれるので、表示パネルが見やすくなる。
【特許文献１】特開２００６−６２１８３号公報
【発明の開示】
【発明が解決しようとする課題】
【０００５】
しかしながら、特許文献１の構成では、機構が複雑となり、部品点数も多いため装置が大型化する。
【０００６】
本発明は、上記事実を考慮し、開閉部に設けられた表示部を簡易な構成で見やすくできる画像形成装置を提供することを目的とする。
【課題を解決するための手段】
【０００７】
本発明の請求項１に係る画像形成装置は、装置本体に開閉可能に取り付けられた開閉部と、前記装置本体に回転可能に取り付けられ、前記開閉部の開閉中心と異なる回転中心を有し、前記開閉部の開閉に伴って回転する回転部材と、前記開閉部に揺動可能に取り付けられた表示部と、前記回転部材と前記表示部とに連結され、前記開閉部の開閉に伴って前記表示部を揺動させるリンク部材と、を備えたことを特徴とする。
【０００８】
この構成によれば、開閉部を開閉すると、この開閉部の開閉に伴って、リンク部材に引っ張られあるいは押されて、表示部が揺動する。
【０００９】
このように、表示部が揺動するので、開閉部が開放された際に表示部が見やすい向きに揺動するように揺動角度を調整することにより、開閉部に設けられた表示部が見やすくなる。また、回転部材と表示部をリンク部材で連結し、回転部材の回転力を利用して表示部を揺動させるので、表示部を簡易な構成で見やすくできる。
【００１０】
本発明の請求項２に係る画像形成装置は、請求項１の構成において、前記表示部は、前記装置本体に遠い側を揺動中心にして、前記装置本体側が揺動することを特徴とする。
【００１１】
この構成によれば、表示部は、装置本体に遠い側を揺動中心にして、装置本体側が揺動するので、異物が表示部と開閉部との間に入りにくい。
【００１２】
本発明の請求項３に係る画像形成装置は、請求項１又は請求項２の構成において、前記開閉部の閉鎖時において、前記表示部を前記装置本体に位置決めする位置決め部を備えたことを特徴とする。
【００１３】
この構成によれば、表示部は、開閉部の閉鎖時において装置本体に位置決めされるので、操作時においても表示部ががたつくことがない。
【００１４】
本発明の請求項４に係る画像形成装置は、請求項１〜３のいずれか１項の構成において、前記回転部材は、前記開閉部の開閉に伴って開閉する転写ユニットであることを特徴とする。
【００１５】
この構成によれば、開閉部の開閉に伴って、転写ユニットが開閉されるので、転写ユニットの保守作業する際の操作性がよい。
【発明の効果】
【００１６】
本発明は、上記構成としたので、開閉部に設けられた表示部を簡易な構成で見やすくできる。
【発明を実施するための最良の形態】
【００１７】
〔第１実施形態〕
以下に、本発明の画像形成装置に係る実施形態の一例を図面に基づき説明する。
【００１８】
（画像形成装置の全体構成）
まず、本実施形態に係る画像形成装置１０の全体構成について説明する。図１には、画像形成装置１０の全体構成が示されている。
【００１９】
本実施形態に係る画像形成装置１０は、図１に示すように、装置本体１２を備え、装置本体１２の下部には、記録媒体としての用紙Ｐが束状に積層されて収容される給紙トレイ１４が配置されている。
【００２０】
この給紙トレイ１４の先端側（図１において右端側）の直上には、用紙Ｐの上面の先端側に接触して回転し、給紙トレイ１４から用紙Ｐを送り出すフィードロール１６が配置されている。
【００２１】
また、装置本体１２には、給紙トレイ１４の先端部から延出して、緩やかに湾曲し、装置前方側（図１において右側）で上方へ向かって略垂直に延びる第１搬送路２２が形成されている。
【００２２】
この第１搬送路２２に沿って、用紙搬送方向の上流側から順に、用紙Ｐを挟持搬送する複数（例えば、２つ）の搬送ロール対２４、画像が形成される用紙Ｐを静電吸着して搬送する無端状の搬送ベルト２６が配置されている。
【００２３】
搬送ベルト２６は、上方に配置された張架ローラ２７と、下方に配置された張架ローラ２９に張架されており、張架ローラ２７及び張架ローラ２９のいずれかが、所定方向（図１において、時計回り方向）へ回転駆動することにより、搬送ベルト２６が所定方向（図１において、時計回り方向）へ回転（循環駆動）する。
【００２４】
この搬送ベルト２６の用紙搬送方向上流側には、搬送ベルト２６の表面上を帯電させると共に、搬送ベルト２６へ静電吸着される用紙Ｐを搬送ベルト２６へ押し当てる帯電ロール３１が搬送ベルト２６に隣接して設けられている。
【００２５】
また、第１搬送路２２を間に挟んで、搬送ベルト２６に対向する横方向には、イエロー、マゼンタ、シアン、ブラックの各色に対応した複数のプロセスカートリッジ２８Ｙ、２８Ｍ、２８Ｃ、２８Ｋが、第１搬送路２２に沿って、装置本体１２に略垂直方向へ縦列配置されている。
【００２６】
各プロセスカートリッジ２８Ｙ、２８Ｍ、２８Ｃ、２８Ｋには、それぞれ、所定方向（図１において反時計回り方向）へ回転する感光体ドラム３０が設けられている。
【００２７】
感光体ドラム３０の周囲には、感光体ドラム３０の回転方向上流側から順に、それぞれ、感光体ドラム３０の表面を帯電させる帯電ローラ３２と、帯電した感光体ドラム３０の表面を露光して感光体ドラム３０の表面に静電潜像を形成する露光装置３４と、感光体ドラム３０の表面に形成された静電潜像へトナーを付着させて現像する現像ローラ３６と、が設けられている。
【００２８】
この帯電ローラ３２及び現像ローラ３６は、各プロセスカートリッジ２８Ｙ、２８Ｍ、２８Ｃ、２８Ｋに、それぞれ、設けられている。
【００２９】
感光体ドラム３０に対向する横方向には、搬送ベルト２６の内周側に、それぞれ、感光体ドラム３０の表面に形成されたトナー画像を用紙Ｐへ所定の転写位置で転写する転写装置３８が設けられている。
【００３０】
搬送ベルト２６より用紙搬送方向下流側には、転写されたトナー画像を用紙Ｐへ定着させる定着装置４０、用紙Ｐを挟持搬送する搬送ロール対４２、用紙Ｐを排出トレイ２０へ排出する排出ロール対４４が、この順で配置されている。
【００３１】
また、片面に画像が形成された用紙Ｐを反転させて、再び第１搬送路２２へ送り戻すための第２搬送路４６が、搬送ベルト２６を挟んで第１搬送路２２に対向して形成されている。
【００３２】
この第２搬送路４６には、用紙Ｐを下方へ挟持搬送する複数（例えば、３つ）の搬送ロール対４８が配置されており、両面に画像を形成する際には、片面に画像が形成された用紙Ｐは、排出ロール対４４によりスイッチバックされて第２搬送路４６に導かれ、複数の搬送ロール対４８によって下方へ搬送され、第１搬送路２２へ送り戻される。
【００３３】
次に、本実施形態に係る画像形成装置における、画像を形成する画像形成動作について説明する。
【００３４】
本実施形態に係る画像形成装置において、用紙Ｐへ画像を形成する場合は、まず給紙トレイ１４から取り出された用紙Ｐが、複数の搬送ロール対２４によって搬送路２２を上方へ搬送され、搬送ベルト２６へ送り込まれる。搬送ベルト２６へ送り込まれた用紙Ｐは、帯電ロール３１によって搬送ベルト２６へ押し当てられると共に、帯電する搬送ベルト２６に静電吸着されて、上方へ搬送され、イエロー、マゼンタ、シアン、ブラックの各色に対応した所定の転写位置へ順次送り込まれる。
【００３５】
所定の転写位置へ送り込まれた用紙Ｐは、感光体ドラム３０上に形成された各色のトナー画像が転写装置３８によって転写され、フルカラー画像が形成される。さらに定着装置４０へ搬送され、転写されたトナー画像が定着装置４０により定着される。用紙Ｐの片面へのみ画像を形成する場合は、トナー画像が定着された後、用紙Ｐは排出ロール対４４により排出トレイ２０へ排出される。
【００３６】
用紙Ｐの両面へ画像を形成する場合には、片面に画像が形成された後、用紙Ｐは、排出ロール対４４でスイッチバックされ、反転して第２搬送路４６へ送り込まれる。さらに、第２搬送路４６から再び第１搬送路２２へ送り込まれ、反対面側に上記と同様に画像が形成され、用紙Ｐの両面へ画像が形成される。以上のように、一連の画像形成動作が行われる。
【００３７】
（表示部を揺動させる揺動機構）
次に、本実施形態に係る表示部５４を揺動させる揺動機構について説明する。図２には、本実施形態に係る開閉カバー５０及び転写ユニット５２を開放した状態が示されている。なお、図２は、搬送ロール対４８の一部を省略して図示している。
【００３８】
図３（Ａ）及び図４（Ａ）には、開閉カバー５０及び転写ユニット５２を閉じた状態における表示部５４及び表示部カバー５８の位置（向き）が、概略的に示されている。また、図３（Ｂ）及び図４（Ｂ）には、開閉カバー５０及び転写ユニット５２を開放した状態における表示部５４及び表示部カバー５８の位置（向き）が、概略的に示されている。
【００３９】
図５は、開閉カバー５０及び転写ユニット５２の開閉角度に応じた表示部５４の位置を示す側面図であり、（Ａ）は、開閉カバー５０及び転写ユニット５２を閉じた場合を示し、（Ｂ）は、開閉カバー５０及び転写ユニット５２を途中まで開放した場合を示し、（Ｃ）は、開閉カバー５０及び転写ユニット５２を全開した場合を示す。
【００４０】
なお、説明の便宜上、開閉カバー５０が開放される方向を手前側として、開閉カバー５０が閉じられる方向を奥側として説明する（図３参照）。
【００４１】
画像形成装置１０は、図２に示すように、装置本体１２に開閉可能に取り付けられた開閉部としての開閉カバー５０を備えている。開閉カバー５０には、表示部５４が設けられており、この表示部５４は、開閉カバー５０と一体に開閉される。
【００４２】
開閉カバー５０と装置本体１２との間には、装置本体１２に回転可能に取り付けられた回転部材としての転写ユニット５２が設けられている。転写ユニット５２には、搬送ロール対４８、搬送ベルト２６及び転写装置３８が設けられており、搬送ロール対４８、搬送ベルト２６及び転写装置３８は転写ユニット５２と一体に回転して開閉される。
【００４３】
開閉カバー５０は、図３（Ａ）及び図３（Ｂ）に示すように、下部の奥側の部位が、軸部５１によって装置本体１２の下部に取り付けられて、装置本体１２に回転可能に支持されている。これにより、開閉カバー５０は、軸部５１を開閉中心（回転中心）として開閉されるようになっている。
【００４４】
開閉カバー５０は、装置本体１２側から装置外側へ（図２及び図３（Ｂ）においてＡ方向へ）回転して、開位置へ傾倒することにより、装置本体１２の内部及び第１搬送路２２を開放する（図３（Ｂ）参照）。第１搬送路２２が開放されることにより、第１搬送路２２で用紙詰まり（ジャム）を起こした用紙Ｐを取り除くことができる。
【００４５】
また、開閉カバー５０は、装置内部を開放した状態から、装置本体１２側へ（図２及び図３（Ｂ）においてＢ方向へ）回転して、閉位置へ縦立することにより、装置内部を閉鎖する（図３（Ａ）参照）。
【００４６】
転写ユニット５２は、図３（Ａ）に示すように、下部の手前側の部位が、軸部５３によって装置本体１２の下部に取り付けられて、装置本体１２に回転可能に支持されている。転写ユニット５２は、開閉カバー５０の開閉中心と異なる回転中心を有しており、上端付近に設けられたスライド部７２が、開閉カバー５２に設けられたスライド溝７０にスライド可能に連結している。したがって、開閉カバー５０の開閉に伴って転写ユニット５２のスライド部７２が、開閉カバー５２のスライド溝７０に沿ってスライドし、回転中心を支点として開閉するようになっている。すなわち、転写ユニット５２は、開閉カバー５０の開閉動作に連動して開閉され、開閉カバー５０の開放角度が大きくなるのに伴って、開放角度（回転角度）が大きくなる構成となっている。
【００４７】
転写ユニット５２は、装置本体１２側から装置外側へ（図２及び図３（Ｂ）においてＡ方向へ）回転して、開位置へ傾倒することにより、装置本体１２の内部及び第１搬送路２２を開放する（図３（Ｂ）参照）。第１搬送路２２が開放されることにより、第１搬送路２２で用紙詰まり（ジャム）を起こした用紙Ｐを取り除くことができる。また、装置内部が開放されることにより、各プロセスカートリッジ２８Ｙ、２８Ｍ、２８Ｃ、２８Ｋの交換や装置本体１２の内部に構成部品の保守点検が可能となる。
【００４８】
また、転写ユニット５２は、装置内部を開放した状態から、装置本体１２側へ（図２及び図３（Ｂ）においてＢ方向へ）回転して、閉位置へ縦立することにより、装置内部を閉鎖する（図３（Ａ）参照）。
【００４９】
また、開閉カバー５０の上部の奥側には、表示部５４の奥側の部位が軸部５５によって揺動可能に取り付けられており、軸部５５を揺動中心として揺動するようになっている。
これにより、表示部５４は、奥側（装置本体側）を支点にして、手前側（装置本体から遠い側）が揺動する。
この表示部５４は上面に表示画面を有しており、その表示画面に操作指示や警告表示等の内容が表示され、オペレータに報知するように構成されている。
【００５０】
開閉カバー５０には、表示部５４を覆う表示部カバー５８が設けられている。表示部カバー５８には、図４（Ａ）に示すように、ウィンドウ６０が設けられており、このウィンドウ６０を通じて、表示部５４が視認できるようになっている。表示部カバー５８は、その奥側に部位が、軸部５５によって表示部５４と同軸上に揺動可能に支持されている。
【００５１】
表示部５４の手前側には、リンク部材５６の一端部が軸部５７によって連結されており、リンク部材５６の他端部は、軸部５９によって転写ユニット５２の上部の奥側に連結されている。
【００５２】
リンク部材５６は、転写ユニット５２の回転に伴って表示部５４を押して表示部５４を揺動させるように構成されている。また、転写ユニット５２の開放角度が大きくなるのに伴って、表示部５４の手前側を持ち上げる方向へ揺動させるように、リンク部材５６の長さ、リンク部材５６の表示部５４への連結位置及びリンク部材５６の転写ユニット５２への連結位置が調整されており、図５（Ａ）、（Ｂ）、（Ｃ）に示すように、開閉カバー５０の開放角度に応じて、表示部５４は向きを変える。なお、表示部５４及び表示部カバー５８は一体的に揺動するようになっている。
【００５３】
次に、上記の第１実施形態について作用を説明する。
【００５４】
本実施形態では、開閉カバー５０を開放すると、この開閉カバー５０の開放動作に伴って、転写ユニット５２が回転して開放される。転写ユニット５２が回転すると、リンク部材５６によって表示部５４が押され、表示部５４が揺動する。このとき、表示部５４は、表示面が上方へ向いた状態で維持されるように、表示部５４の手前側が持ち上げられて揺動する。
【００５５】
また、開閉カバー５０の開放角度が大きくなると、転写ユニット５２の開放角度（回転角度）も大きくなり、これに伴って、表示部５４の揺動角度も大きくなる。
【００５６】
このように、表示部５４は、開閉カバー５０を開放しても、上向きを向いた状態で維持されるので、開閉カバー５０が開放された際でも表示部５４が見やすくなる。これにより、開閉カバー５０を開放して装置内部の保守作業や用紙詰まりの処理する際に、表示部５４を見ながら作業ができる。従って、表示部５４の紙詰まりが発生した場所や、保守作業の作業手順等の表示内容を確認しながら作業が行え、作業性が向上する。
【００５７】
また、本実施形態では、転写ユニット５２と表示部５４とをリンク部材５６で連結し、転写ユニット５２を利用して表示部５４を揺動させるので、別途、表示部５４を移動させるための構成を必要とせず、表示部５４を簡易な構成で見やすくできる。
【００５８】
〔第２実施形態〕
次に、本発明の第２実施形態について説明する。なお、第１実施形態と同一の機能を有する部分には同一の符号を付し、説明を省略する。また、画像形成装置の全体構成は、第１実施形態と同一であるので、説明を省略する。
【００５９】
図６（Ａ）及び図７（Ａ）には、本実施形態に係る開閉カバー５０及び転写ユニット５２を閉じた状態における表示部５４及び表示部カバー５８の位置（向き）が、概略的に示されている。また、図６（Ｂ）及び図７（Ｂ）には、開閉カバー５０及び転写ユニット５２を開放した状態における表示部５４及び表示部カバー５８の位置（向き）が、概略的に示されている。
【００６０】
図８は、開閉カバー５０及び転写ユニット５２の開閉角度に応じた表示部５４の位置を示す側面図であり、（Ａ）は、開閉カバー５０及び転写ユニット５２を閉じた場合を示し、（Ｂ）は、開閉カバー５０及び転写ユニット５２を途中まで開放した場合を示し、（Ｃ）は、開閉カバー５０及び転写ユニット５２を全開した場合を示す。
【００６１】
図９は、本実施形態に係る位置決め部を示す側面図であり、（Ａ）は、開閉カバー５０及び転写ユニット５２を閉じた場合を示し、（Ｂ）は、開閉カバー５０及び転写ユニット５２を開放した場合を示す。
【００６２】
なお、説明の便宜上、開閉カバー５０が開放される方向を手前側として、開閉カバー５０が閉じられる方向を奥側として説明する（図６参照）。
【００６３】
第２実施形態は、第１実施形態における表示部５４の揺動機構を変形したものであり、図６（Ａ）及び図６（Ｂ）に示すように、第２実施形態における開閉カバー５０は、下部の手前側の部位が、軸部５１によって装置本体１２の下部に取り付けられて、装置本体１２に回転可能に支持されている。これにより、開閉カバー５０は、軸部５１を開閉中心（回転中心）として開閉されるようになっている。
【００６４】
開閉カバー５０は、第１実施形態と同様に、装置本体１２側から装置外側へ（図６及び図７においてＡ方向へ）回転して、開位置へ傾倒することにより、装置本体１２の内部及び第１搬送路２２を開放する（図６（Ｂ）参照）。第１搬送路２２が開放されることにより、第１搬送路２２で用紙詰まり（ジャム）を起こした用紙Ｐを取り除くことができる。
【００６５】
また、開閉カバー５０は、装置内部を開放した状態から、装置本体１２側へ（図６及び図７においてＢ方向へ）回転して、閉位置へ縦立することにより、装置内部を閉鎖する（図６（Ａ）参照）。
【００６６】
転写ユニット５２は、図６（Ａ）に示すように、下部の奥側の部位が、軸部５３によって装置本体１２の下部に取り付けられて、装置本体１２に回転可能に支持されている。転写ユニット５２は、開閉カバー５０の開閉中心と異なる回転中心を有しており、上端付近に設けられたスライド部としての軸部５９が、開閉カバー５２に設けられたスライド溝６４にスライド可能に連結している。したがって、開閉カバー５０の開閉に伴って転写ユニット５２の軸部５９が、開閉カバー５２のスライド溝６４に沿ってスライドし、回転中心を支点として開閉するようになっている。すなわち、転写ユニット５２は、開閉カバー５０の開閉動作に連動して開閉され、開閉カバー５０の開放角度が大きくなるのに伴って、開放角度（回転角度）が大きくなる構成となっている。
【００６７】
転写ユニット５２は、装置本体１２側から装置外側へ（図６（Ｂ）においてＡ方向へ）回転して、開位置へ傾倒することにより、装置本体１２の内部及び第１搬送路２２を開放する（図６（Ｂ）参照）。第１搬送路２２が開放されることにより、第１搬送路２２で用紙詰まり（ジャム）を起こした用紙Ｐを取り除くことができる。また、装置内部が開放されることにより、各プロセスカートリッジ２８Ｙ、２８Ｍ、２８Ｃ、２８Ｋの交換や装置本体１２の内部に構成部品の保守点検が可能となる。
【００６８】
また、転写ユニット５２は、装置内部を開放した状態から、装置本体１２側へ（図６（Ｂ）においてＢ方向へ）回転して、閉位置へ縦立することにより、装置内部を閉鎖する（図６（Ａ）参照）。
【００６９】
また、開閉カバー５０の上部の手前側には、表示部５４が軸部５５によって揺動可能に取り付けられており、軸部５５を揺動中心として揺動するようになっている。
【００７０】
この表示部５４は、側面から見ると（図６参照）、手前側で屈曲したＬ字形状をしており、表示部５４の手前側の下部が軸部５５で支持されている。これにより、表示部５４は、手前側（装置本体から遠い側）の部位を揺動中心にして、奥側（装置本体側）の部位が揺動する。
【００７１】
この表示部５４は上面に表示画面を有しており、その表示画面に操作指示や警告表示等の内容が表示され、オペレータに報知するように構成されている。
【００７２】
開閉カバー５０には、表示部５４を覆う表示部カバー５８が設けられている。表示部カバー５８には、図６（Ａ）に示すように、ウィンドウ６０が設けられており、このウィンドウ６０を通じて、表示部５４が視認できるようになっている。表示部カバー５８は、その手前側に部位が、軸部５５によって表示部５４と同軸上に揺動可能に支持されている。
【００７３】
表示部５４の奥側には、リンク部材５６の一端部が軸部５７によって連結されており、リンク部材５６の他端部は、軸部５９によって転写ユニット５２の上部の奥側に連結されている。
【００７４】
軸部５９は、転写ユニット５２に形成されたスライド溝６４に、スライド可能に係合している。スライド溝６４は円弧状に湾曲しており、転写ユニット５２が閉じている状態において、軸部５９はスライド溝６４の下端部に位置し（図６（Ａ）及び図８（Ａ）参照）、転写ユニット５２が所定角度以上開放されると、軸部５９はスライド溝６４の上端部にスライド移動する（図８（Ｃ）参照）。
【００７５】
リンク部材５６は、転写ユニット５２の回転に伴い表示部５４を引っ張って表示部５４を揺動させるように構成されている。また、転写ユニット５２の開放角度が大きくなるのに伴って、表示部５４の奥側を下げる方向へ揺動させるように、リンク部材５６の長さ、リンク部材５６の表示部５４への連結位置及びリンク部材５６の転写ユニット５２への連結位置が調整されており、図８（Ａ）、（Ｂ）、（Ｃ）に示すように、開閉カバー５０の開放角度に応じて、表示部５４は向きを変える。
【００７６】
また、図９（Ａ）、（Ｂ）に示すように、開閉カバー５０の閉鎖時において、表示部５４が位置決めされる位置決め部６６が設けられている。位置決め部６６は、開閉カバー５０が閉じられた際に、その上面が表示部５４の下面に当たり、表示部５４の移動を規制することにより、表示部５４を位置決めする（図９（Ａ）参照）。開閉カバー５０が開放されると、表示部５４は位置決め部６６から外れ、位置決め状態が解除させる（図９（Ｂ）参照）。
【００７７】
なお、表示部５４及び表示部カバー５８は一体的に揺動するようになっている。また、本実施形態では、表示部５４の奥側が下方へ下げられるので、下げられた表示部５４と干渉しないように、開閉カバー５０は一部が切り欠けられた切欠部が形成されている。
【００７８】
次に、上記の第２実施形態について作用を説明する。
【００７９】
本実施形態では、開閉カバー５０を開放すると、この開閉カバー５０の開放動作に伴って、転写ユニット５２が回転して開放される。転写ユニット５２が回転すると、転写ユニット５２の回転に伴って、リンク部材５６によって表示部５４が引っ張られ、表示部５４が揺動する。このとき、表示部５４は、表示面が上方へ向いた状態で維持されるように、表示部５４の奥側が下げられて揺動する。
【００８０】
また、開閉カバー５０の開放角度が大きくなると、転写ユニット５２の開放角度（回転角度）も大きくなり、これに伴って、表示部５４の揺動角度も大きくなる。
【００８１】
このように、表示部５４は、開閉カバー５０を開放しても、上向きを向いた状態で維持されるので、開閉カバー５０が開放された際でも表示部５４が見やすくなる。これにより、開閉カバー５０を開放して装置内部の保守作業や用紙詰まりの処理する際に、表示部５４を見ながら作業ができる。従って、表示部５４の紙詰まりが発生した場所や、保守作業の作業手順等の表示内容を確認しながら作業が行え、作業性が向上する。
【００８２】
また、本実施形態では、表示部５４は、装置本体１２に遠い側の部位を揺動中心にして、装置本体１２側の部位が揺動するので、表示部５４と開閉カバー５０との隙間が大きく開くことがなく、異物が表示部５４と開閉カバー５０との間に入りにくい。
【００８３】
また、本実施形態では、開閉カバー５０の閉鎖時において、表示部５４は装置本体１２に位置決めされるので、操作時にも表示部５４ががたつくことがない。
【００８４】
また、本実施形態では、転写ユニット５２と表示部５４とをリンク部材５６で連結し、転写ユニット５２を利用して表示部５４を揺動させるので、別途、表示部５４を移動させるための構成を必要とせず、表示部５４を簡易な構成で見やすくできる。
【００８５】
なお、上記実施形態では、回転部材として転写ユニットを用いたが、これに限られず、例えば、転写装置等を有さない開閉カバーであってもよく、装置本体１２に回転可能に取り付けられた回転部材であれば構わない。
【００８６】
本発明は、本実施形態に限るものではなく、本発明の要旨を逸脱しない限りにおいて、種々の変形、変更、改良が可能である。
【図面の簡単な説明】
【００８７】
【図１】図１は、本発明の第１実施形態に係る画像形成装置の全体構成を示す図である。
【図２】図２は、第１実施形態に係る画像形成装置において、開閉カバー及び転写ユニットを開放した状態を示す図である。
【図３】図３（Ａ）は、第１実施形態に係る開閉カバー及び転写ユニットを閉じた状態における表示部及び表示部カバーの位置（向き）を示すが概略図であり、図３（Ｂ）は、本実施形態に係る開閉カバー及び転写ユニットを開放した状態における表示部及び表示部カバーの位置（向き）を示す概略図である。
【図４】図４（Ａ）は、第１実施形態に係る開閉カバー及び転写ユニットを閉じた状態における表示部及び表示部カバーの位置（向き）を概略的に示すが斜視図であり、図４（Ｂ）は、本実施形態に係る開閉カバー及び転写ユニットを開放した状態における表示部及び表示部カバーの位置（向き）を概略的に示す斜視図である。
【図５】図５は、第１実施形態に係る開閉カバー及び転写ユニットの開閉角度に応じた表示部の位置を示す側面図であり、（Ａ）は、開閉カバー及び転写ユニットを閉じた場合を示し、（Ｂ）は、開閉カバー及び転写ユニットを途中まで開放した場合を示し、（Ｃ）は、開閉カバー及び転写ユニットを全開した場合を示す。
【図６】図６（Ａ）は、第２実施形態に係る開閉カバー及び転写ユニットを閉じた状態における表示部及び表示部カバーの位置（向き）を示すが概略図であり、図６（Ｂ）は、本実施形態に係る開閉カバー及び転写ユニットを開放した状態における表示部及び表示部カバーの位置（向き）を示す概略図である。
【図７】図７（Ａ）は、第２実施形態に係る開閉カバー及び転写ユニットを閉じた状態における表示部及び表示部カバーの位置（向き）を概略的に示すが斜視図であり、図７（Ｂ）は、本実施形態に係る開閉カバー及び転写ユニットを開放した状態における表示部及び表示部カバーの位置（向き）を概略的に示す斜視図である。
【図８】図８は、第２実施形態に係る開閉カバー及び転写ユニットの開閉角度に応じた表示部の位置を示す側面図であり、（Ａ）は、開閉カバー及び転写ユニットを閉じた場合を示し、（Ｂ）は、開閉カバー及び転写ユニットを途中まで開放した場合を示し、（Ｃ）は、開閉カバー及び転写ユニットを全開した場合を示す。
【図９】図９は、第２実施形態に係る位置決め部を示す側面図であり、（Ａ）は、開閉カバー及び転写ユニットを閉じた場合を示し、（Ｂ）は、開閉カバー及び転写ユニットを開放した場合を示す。
【符号の説明】
【００８８】
１０   画像形成装置
１２   装置本体
５０   開閉カバー（開閉部）
５２   転写ユニット（回転部材）
５４   表示部 
５６   リンク部材
６６   位置決め部
【図１】
2008122607.tif 000003
【図２】
2008122607.tif 000004
【図３】
2008122607.tif 000005
【図４】
2008122607.tif 000006
【図５】
2008122607.tif 000007
【図６】
2008122607.tif 000008
【図７】
2008122607.tif 000009
【図８】
2008122607.tif 000010
【図９】
2008122607.tif 000011